【手続補正書】
【提出日】平成18年12月22日(2006.12.22)
【手続補正１】
【補正対象書類名】特許請求の範囲
【補正対象項目名】請求項１
【補正方法】変更
【補正の内容】
【請求項１】
コイン送り出し装置(10)の回転ディスク(18)によってコイン(14)を一つずつ案内通路(62)に送り出し、前記案内通路(62)により前記送り出されたコイン(14)を一列に整列して案内し、前記案内通路(62)の出口(63)において前記案内通路(62)の中心線(CL)に対し偏倚して配置し、かつ、前記案内通路(62)に近づくように弾性体(136、142)により付勢された払出体(108)によってコイン(14)を区分けして払い出すコイン送り出し装置において、前記払出体(108)を前記中心線(CL)に対し鋭角をなし、かつ、前記案内通路(62)から離れるほど前記中心線(CL)から離れる軸線(106、112)に沿って移動可能に設けたことを特徴とするコイン払出装置。
【手続補正２】
【補正対象書類名】特許請求の範囲
【補正対象項目名】請求項３
【補正方法】変更
【補正の内容】
【請求項３】
前記長孔(102、104)の前記案内通路(62)側の端部(110,115)が、前記中心線(CL)と前記案内通路(62)の画定部材(60,58)との間の中心線(LC、RC)上に位置している請求項２のコイン払出装置。
【手続補正３】
【補正対象書類名】特許請求の範囲
【補正対象項目名】請求項７
【補正方法】変更
【補正の内容】
【請求項７】
前記中心線(RC)は、最大径コインに相対する案内通路(62)の幅の中心線であり、前記長孔(104)の案内通路(62)側端部(115)が前記中心線(CL)とガイド(58)とのほぼ中心線(RC)上に位置し、前記長孔(10２)の案内通路(62)側端部(110)が前記中心線(CL)とガイド(56)とのほぼ中心線(LC)上に位置する請求項３のコイン払出装置。
【手続補正４】
【補正対象書類名】明細書
【補正対象項目名】００１０
【補正方法】変更
【補正の内容】
【００１０】
案内長孔66は、案内通路62の延長上であって、案内通路62の中心線CLに対し偏倚し、かつ、中心線CLとスペーサ56の案内縁74との間の中央に位置する左中心線LCに沿って形成され、第２案内長孔68は中心線CLをはさんで左中心線LCと対称に位置する右中心線RCに沿って形成されている。
それら長孔は連通溝71によって連通されている。
払出体70は、案内長孔66または68においてスライド可能な支軸76に回転自在なローラ78によって構成されている。
支軸76は、図示しない付勢手段により案内通路62に近づくよう付勢されている
【手続補正５】
【補正対象書類名】明細書
【補正対象項目名】００１６
【補正方法】変更
【補正の内容】
【００１６】
この目的を達成するため、請求項１の発明は以下のように構成される。
回転ディスクによってコインを一つずつ案内通路に送り出し、前記案内通路により前記送り出されたコインを一列に整列して案内し、前記案内通路の出口において前記案内通路の中心線に対し偏倚して配置し、かつ、前記案内通路に近づくように弾性体により付勢された払出体によってコインを区分けして払い出すコイン送り出し装置において、前記払出体を前記中心線に対し鋭角をなし、かつ、前記案内通路から離れるほど前記中心線から離れる軸線に沿って移動可能に設けたことを特徴とするコイン払出装置である。
【手続補正６】
【補正対象書類名】明細書
【補正対象項目名】００１７
【補正方法】変更
【補正の内容】
【００１７】
この構成において、コインは回転ディスクによって一個ずつ区分けして案内装置へ送り出される。
案内装置において、コインは周面を接して一列に整列され、後位のコインが前位のコインを押すことによって上方へ案内されて後、払出体によって弾き出される。
この過程において、送り出されたコインによって、払出体は案内通路から離れるほど前記中心線から離れる軸線に沿って移動する。
このため、スプリングの支点から払出体までの距離は、従来のように中心線に沿って移動する場合に比し、変動が極めて小さい。
したがって、スプリング力の変化が小さいので、総合的にみれば払出体に対する付勢力は小さい範囲で設定できる。
よって、付勢力が小さい範囲で設定できるので、払出体が同一部にストップされてもその部位の「へたり」を生ぜず、払出体の移動を常にスムーズに行うことができる。
結果として、コインのスムーズな払出を行うことができる。
また、払出体の案内部への分力は中心線と平行に移動する場合に比して小さく、これによっても払出体の移動はスムーズである。
【手続補正７】
【補正対象書類名】明細書
【補正対象項目名】００１９
【補正方法】変更
【補正の内容】
【００１９】
請求項３の発明は、請求項２において、前記長孔の前記案内通路側の端部が、前記中心線と前記案内通路画定部材との中心線上に位置している。
この構成において、長孔の案内通路側端部が案内通路の中心線と案内通路画定部材との中心線上に位置する。
換言すれば、払出体のローラが案内通路の中心線と案内通路画定部材との間の中心線上に位置する。
これにより、コインの直径が変更されてもコインの払出方向の変化が少なく、一定の方向に払い出すことができる。
【手続補正８】
【補正対象書類名】明細書
【補正対象項目名】００２２
【補正方法】変更
【補正の内容】
【００２２】
請求項６の発明は、請求項２において、前記ローラの下流のコイン通路にコインを検知するためのセンサを配置したものである。
この構成によれば、コインがローラによって払い出された後、センサによって検知される。
このセンサの出力は、払い出したコインのカウントに用いる。
したがって、センサはコイン案内通路内のコイン位置によって影響を受けないので、カウントミスを生じない利点がある。
【手続補正９】
【補正対象書類名】明細書
【補正対象項目名】００２６
【補正方法】変更
【補正の内容】
【００２６】
回転ディスクによってコインを一つずつ少なくともベースによって画定される案内通路に送り出し、前記案内通路により前記送り出されたコインを一列に整列して前記ベースに沿って案内し、前記案内通路の出口において前記案内通路の中心線に対し偏倚して配置し、かつ、前記案内通路に近づくように付勢された払出体によってコインを区分けして払い出すコイン送り出し装置において、前記ベースに前記中心線に対し鋭角をなす第１長孔と前記第１長孔に対し前記中心線をはさんで対称をなすよう形成した第２長孔、前記第１長孔と第２長孔とを前記案内通路から遠い端部で連通してチャンネル形溝に形成し、前記チャンネル形溝を移動可能に貫通し、ローラを回転自在に支持する支軸、前記支軸を前記案内通路に近づくよう付勢する付勢手段、前記ローラの下流のコイン通路に配置した非接触式センサとより構成されるコイン払出装置である。
【手続補正１０】
【補正対象書類名】明細書
【補正対象項目名】００２８
【補正方法】変更
【補正の内容】
【００２８】
従来例と同一部には同一符号を付し、異なる構成を説明する。
本実施例は、直径の異なるコイン14が使用可能なように、スペーサ56はベース54に固定され、スペーサ58は、スペーサ56と平行にその間隔を変更できるように、横長の長孔100の範囲で位置調整可能である。
なお、スペーサ56、58が案内通路62の画定部材59である。
ベース54、画定部材59及びガイド60で囲まれた案内通路62の出口63の延長上のベース54には第１長孔102と第２長孔104が形成されている。
【手続補正１１】
【補正対象書類名】明細書
【補正対象項目名】００３３
【補正方法】変更
【補正の内容】
【００３３】
図4に示すように、丸棒形の支軸114が第１長孔102を貫通している。
支軸114の中央部には、払出体108であるローラ118が回転可能に支持されている。
払出体108は、移動するコイン14の移動を制限し、かつ、弱い力で弾き出す機能を有する。
したがって、払出体108は、固定されたピンに代えることができる。
しかし、コイン14に対する摩擦抵抗を減らすため、ローラが好ましい。
ローラ118は、樹脂により一体成形されている。
この樹脂は、耐衝撃性と耐摩耗性に優れるポリアセタール樹脂が適当である。
【手続補正１２】
【補正対象書類名】明細書
【補正対象項目名】００４０
【補正方法】変更
【補正の内容】
【００４０】
また、センサ150は、コイン14の衝突による破損や摩耗を回避するため、光電式、電磁式等の非接触式のセンサを用いることが好ましい。
本実施例におけるセンサ150は、図3に示すように下向き門型のボディ153にコイン通路の一方に投光部を配置し、他方に受光部を配置した光電式センサである。
このセンサ150の出力は、払い出されたコイン14のカウントに用いられる。
【手続補正１３】
【補正対象書類名】明細書
【補正対象項目名】００４４
【補正方法】変更
【補正の内容】
【００４４】
図５に一点鎖線で示すように、コイン14が払出体108によって弾き出される直前の場合、払出体108には接点P2を介して力F5が作用する。
この力F5は、スペーサ58のエッジ162とコイン14のセンタCCを通る直線L2上に位置し、第１長孔102の軸線106に対し傾斜する。
したがって、外側縁160にはこの力F5の分力F6及び第１弾性体136、第２弾性体142の付勢力の分力が作用する。
すなわち、払出体108が案内通路62から遠ざかるにしたがって外側縁160への分力が大きくなる。
【手続補正１４】
【補正対象書類名】明細書
【補正対象項目名】００４５
【補正方法】変更
【補正の内容】
【００４５】
従来装置において、コイン14は払出体に接触した当初から側壁に対し分力が作用するため、払出体の移動がスムーズでない。
しかし、本実施例において、コイン14が払出体108に最初に接したとき、分力はほとんど生じない。
したがって、払出体108の移動はスムーズである。
また、払出体108はコイン14に対し図５において横方向及び伸長方向に移動する。
特に、第１長孔102は中心線CLに対し傾斜しているので、横方向の移動量が大きい。
したがって、第１弾性体136及び第２弾性体142の伸長量が従来に比し少ない。
【手続補正１５】
【補正対象書類名】明細書
【補正対象項目名】００４８
【補正方法】変更
【補正の内容】
【００４８】
コイン14の中心CCが、エッジ162と接点Pとを結んだ線L2を超えた場合、第１弾性体136と第２弾性体142の弾発力によって右側の第１払出口164に弾き出される。
弾き出されたコイン14は、第１払出通路166を通って所定の機器に払い出される。
コイン14は、第１払出通路166を通過する途上、第１センサ150の投光部から受光部への光軸を切る。
これにより、第１センサ150はコインの検知信号を出力する。
【手続補正１６】
【補正対象書類名】明細書
【補正対象項目名】００５０
【補正方法】変更
【補正の内容】
【００５０】
次に払出体108を第２長孔104に配置した場合を図６を参照して説明する。
この例は、最大直径のコイン14を払い出す場合である。
原則的に前述の第１長孔102に配置した場合と同様に作用する。
すなわち、コイン14は、中心線CLよりも図６において右側の接点P3において払出体108と接するので、コイン14は左方に案内され、第２払出口168から弾き出され、第２払出通路170を通って払い出される。
第２払出通路170を通過するコイン14は、センサ150によって検知される。
【手続補正１７】
【補正対象書類名】図面
【補正対象項目名】図１０
【補正方法】変更
【補正の内容】
【図１０】
2005190213.tif 000001